(57)【要約】【課題】  スイングベッドを上下方向に角度３度から２０度の範囲内で、１度当たりの移動時間を０．３秒から１．５秒とすることにより、脳を活性化することができる脳活性化訓練装置及び脳活性化訓練方法を提供する。【解決手段】  基台にローラーを設け、該ローラー上に底面を円弧状に形成してなるスイングベッドを設けてなる脳活性化訓練装置及び脳活性化訓練方法。【選択図】図１
2009112762.tif 000002
【特許請求の範囲】
【請求項１】
基台にローラーを設け、該ローラー上に底面を円弧状に形成してなるスイングベッドを設けてなる脳活性化訓練装置。
【請求項２】
ローラーを基台の上部に複数個設けてなることを特徴とする請求項１記載の脳活性化訓練装置。
【請求項３】
スイングベッドをローラーに対して着脱自在に形設すべく、支持具を設けてなることを特徴とする請求項１又は２記載の脳活性化訓練装置。
【請求項４】
スイングベッドを所要の角度に停止する停止具を設けてなることを特徴とする請求項１、２又は３記載の脳活性化訓練装置。
【請求項５】
ローラーに駆動部を設けてなることを特徴とする請求項１、２、３又は４記載の脳活性化訓練装置。
【請求項６】
スイングベッドを、上方向に角度３度から２０度の範囲で斜状に形成することを特徴とする脳活性化訓練方法。
【請求項７】
スイングベッドを、下方向に角度３度から２０度の範囲で斜状に形成することを特徴とする請求項６記載の脳活性化訓練方法。
【請求項８】
スイングベッドを１度斜状する時間を０．３秒から１．５秒とすることを特徴とする請求項６又は７記載の脳活性化訓練方法。
【発明の詳細な説明】
【技術分野】
【０００１】  本発明は、体を制御しようとする運動神経（反射神経）等に刺激を与えることにより、軽度の認知症等の主に脳の活性化を行うことのできる脳活性化訓練装置及び脳活性化訓練方法に関するものである。
【背景技術】
【０００２】  従来の技術として、ベッド本体上面の一端側に、仰向けになった状態で両足を交互に上下させる一対の下肢運動用足載せ台が配置されているベッドであって、該ベッド本体は該足載せ台を含む一部が別体構造となっており、該別体となった部分は、残る部分に対して昇降又は回動可能に設置されているものであることを特徴とするベッド形運動器具がある。（特許文献１参照）【０００３】  また、別の従来技術として、ベッド部と、前記ベッド部の周囲を取り囲み、その形態を変えることで前記ベッド部の面積を変化させる枠体と、前記ベッド部を支持し、前記ベッド部の床面からの高さを調整するための高さ調整手段とを備えたベッドがある。（特許文献２参照）
【特許文献１】  特開２００６−２６３０５１号公報
【特許文献２】  特願平８−５３１６１５号公報
【発明の開示】
【発明が解決しようとする課題】
【０００４】  上記前者においては、ベッド本体上面の一端側に、仰向けになった状態で両足を交互に上下させる一対の下肢運動用足載せ台が配置されているベッドであって、該ベッド本体は該足載せ台を含む一部が別体構造となっており、該別体となった部分は、残る部分に対して昇降又は回動可能に設置されている。これを列車などの座席とすることも可能であるので、旅行者血栓症の予防ができるし、使用者本人が力をいれることによって筋肉を伸縮させるものではないので、従来の運動器具の多くがそうであったような「辛さ」をほとんど感じなくて済むもので、ベッドという意味では同様であるが、目的・機能・効果が、本発明とは異なるものである。【０００５】  また、上記後者においても成人まで使用することのできる乳幼児用のベッドにおいて、子供の成長時期に、適宜親の愛情や親との絆とを感じ取ることのできるベッドを提供するものであり、本発明と異なる目的・機能・効果を有するものである。【０００６】  本発明は、このような従来の構成が有するものでなく、新たなものであり、スイングベッドを上下方向に角度３度から２０度の範囲内で、１度当たりの移動時間を０．３秒から１．５秒とすることにより、脳を活性化することができる脳活性化訓練装置及び脳活性化訓練方法を提供することを目的とする。
【課題を解決するための手段】
【０００７】  本発明は、上記目的を達成する手段として、基台にローラーを設け、該ローラー上に底面を円弧状に形成してなるスイングベッドを設けてなる。
ローラーを基台の上部に複数個設けてなる。
スイングベッドをローラーに対して着脱自在に形設すべく、支持具を設けてなる。
スイングベッドを所要の角度に停止する停止具を設けてなる。
ローラーに駆動部を設けてある。
スイングベッドを、上方向に角度３度から２０度の範囲で斜状に形成する。
スイングベッドを、下方向に角度３度から２０度の範囲で斜状に形成する。
スイングベッドを１度斜状する時間を０．３秒から１．５秒とすることを特徴とする。
【発明の効果】
【０００８】  脳活性化訓練装置において、
１）、ローラーに底面を円弧状に形成してなるスイングベッドにより、小さな力でもスイングすることができ、作業者の負担が少ない。
２）、スイングベッドを支持具にて着脱自在に設けることにより、持ち運びや移動が簡便にできる。
３）、停止部により、所要の角度で停止することができ、確実なスイング動作を行うことができる。
４）、ローラーに駆動部を設けることにより、自動的にスイング動作を行うことができる。
脳活性化訓練方法において、
１）、上下方向に角度３度から２０度の範囲でスイングベッドを斜状に形成するため、患者の脳の活性度に合わせて作業を行うものである。
２）、１度斜状にする時間を０．３秒から１．５秒とすることにより、ゆっくりした動きが脳に刺激を与え、よって、脳を活性させることができる。
【発明を実施するための最良の形態】
【０００９】  １は、脳活性化訓練装置である。
２は、箱型の基台である。
３は、ローラーで、中央ローラー３ａ、右ローラー３ｂ、左ローラー３ｃからなり、各々ローラー本体３ａ１・３ｂ１・３ｃ１に、溝３ａ１ａ・３ｂ１ａ・３ｃ１ａを形設してある。
４は、上記ローラー３上に設けてなるスイングベッドで、底面Ｔを円弧状に形成したベッド本体４ａの両端に握部４ｂを設けると共に、底面Ｔの２箇所に上記溝３ａ１ａ・３ｂ１ａ・３ｃ１ａに係合するレール４ｃを突設してある。
また、ベッド本体４ａの上面に、水平状のマットレス４ｄを設けてある。
５は、上記スイングベッド４のレール４ｃに取り付けてなる停止具で、スイングベッド４を所要に角度に停止すべく、コの字形の本体５ａに固定ボルト５ｂを螺設してなるものである。
なお、上記レール４ｃの側面に所要角度（上下方向５度から１５度）の目盛Ｍを表示してなるものである。
さらに、別の形態として、各ローラー３ａ・３ｂ・３ｃの少なくとも１つにモニター等による駆動部（図示せず）を設け、コントローラー（図示せず）にて自動的にスイング動作を行うのも一考である。【００１０】  つぎに、脳活性化訓練装置１を使用した脳活性化訓練方法について述べる。
１）、脳活性化訓練装置１のマットレス４ｄ上に横になる。（使用者Ｓ）
２）、停止具５の固定ボルト５ｂを緩め、使用者Ｓに対する所要の角度（目盛Ｍ）の位置にて固定ボルト５ｂを締め付けて固定する。
３）、この状態で、スイングベッド４の両側（あるいは片側）に作業者（図示せず）が立ち、握部４ｂを握ってスイングベッド４を斜状に移動させる。
４）、このとき、１度（上下方向とも）斜状にする時間を０．３秒から１．５秒とし、ゆっくりとした動きが脳に刺激を与え、体を制御しようとすることにより脳を活性化させる。
５）、１）から４）を繰り返す脳活性化訓練方法である。
なお、駆動部を使用する場合は、自動的にスイング動作を行うものである。【００１１】  上記脳活性化訓練方法は、上方向３度Ｋから２０度Ｋ１の間Ｋ２にて移動させる。
また、下方向３度Ｋａから２０度Ｋ１ａの間Ｋ２ａにて移動させる。
つまり、３度から２０度の範囲内で、使用者Ｓの状態に合わせて行うものである。【００１２】  なお、脳活性化訓練装置の構造において、停止具の形態等は、同様な機能を有するものであれば、特に限定するものではない。
脳活性化訓練方法においては、使用者の状態に応じて行うものである。
【図面の簡単な説明】
【００１３】
【図１】  本発明の一実施例を示す脳活性化訓練装置の一部縦断正面図。
【図２】  本発明の一実施例を示す脳活性化訓練装置の要部側面図。
【図３】  本発明の一実施例を示す脳活性化訓練装置の停止具の取付図。
【図４】  本発明の一実施例を示す脳活性化訓練装置の停止具の側面図。
【図５】  本発明の一実施例を示す脳活性化訓練方法の使用状態図。
【符号の説明】
【００１４】１−−−−脳活性化訓練装置
２−−−−基台
３−−−−ローラー
３ａ−−−中央ローラー
３ａ１−−中央ローラー本体
３ａ１ａ−溝
３ｂ−−−右ローラー
３ｂ１−−右ローラー本体
３ｂ１ａ−溝
３ｃ−−−左ローラー
３ｃ１−−左ローラー本体
３ｃ１ａ−溝
４−−−−スイングベッド
４ａ−−−ベッド本体
４ｂ−−−握部
４ｃ−−−レール
４ｄ−−−マットレス
５−−−−停止具
５ａ−−−本体
５ｂ−−−固定ボルト
Ｔ−−−−底面
Ｂ−−−−目盛
Ｋ−−−−上方向３度
Ｋ１−−−上方向２０度
Ｋ２−−−上方向３度から２０度の間
Ｋａ−−−下方向３度
Ｋ１ａ−−下方向２０度
Ｋ２ａ−−下方向３度から２０度の間
Ｓ−−−−使用者
【図１】
2009112762.tif 000003
【図２】
2009112762.tif 000004
【図３】
2009112762.tif 000005
【図４】
2009112762.tif 000006
【図５】
2009112762.tif 000007